(57)【要約】【課題】ジュエリーの包装容器として今までに使われたことのない素材及び形態を用い、ジュエリーをプレゼントする際に、相手を驚かせ、感動を与える斬新な演出を楽しむことができるジュエリーケースを提供する。【解決手段】貴金属や宝石類を加工したジュエリーを収納するケースであって、ジュエリーが載置されるケース本体１０と、ケース本体１０の上に載置され、ジュエリーに覆い被さる蓋体２０と、を備え、蓋体２０が、灯火可能な芯２１を備えたキャンドルからなる構成としてある。【選択図】図１
2015036093.tif 000002
【特許請求の範囲】
【請求項１】
貴金属や宝石類を加工したジュエリーを収納するケースであって、
前記ジュエリーが載置されるケース本体と、
前記ケース本体の上に載置され、前記ジュエリーに覆い被さる蓋体と、を備え、
前記蓋体が、灯火可能な芯を備えたキャンドルからなることを特徴とするジュエリーケース。
【請求項２】
前記ケース本体が、蝋以外の素材からなる請求項１に記載のジュエリーケース。
【請求項３】
前記ケース本体に、前記ジュエリーを載置するための突出した台座を設けるとともに、前記蓋体に、前記台座を収容する空洞を形成した請求項１又は２に記載のジュエリーケース。
【請求項４】
前記台座と前記空洞との断面形状を、互いに対応する円形以外の同形状とした請求項３に記載のジュエリーケース。
【発明の詳細な説明】
【技術分野】
【０００１】
本発明は、例えば、リング、ネックレス、ピアス、イアリング、ブローチ、ブレスレット等を収納するためのジュエリーケースに関し、特に、蓋体が灯火可能なキャンドル（蝋燭）からなるジュエリーケースに関する。
【背景技術】
【０００２】
従来からリング、ネックレス、ピアス、イアリング、ブローチ、ブレスレット等のジュエリーは、店舗のショーウィンドやガラスケースなどに展示された状態で販売されるが、購入後は、包装容器としてのジュエリーケースに入れて顧客に引き渡されるのが一般的である。従来のジュエリーケースは、ジュエリーを載せるためのクッションと、このクッションを収納する箱状のケース本体と、このケース本体にヒンジを介して開閉可能に取り付けられた蓋体とを備えた構成となっていた。ケース本体及び蓋体の素材は、合成樹脂、紙、木などが一般的であり、外装にビロード（ベルベット）などの生地を貼って高級感を持たせていた。
【先行技術文献】
【特許文献】
【０００３】
【特許文献１】特開２００９−２７９２７８号公報
【特許文献２】特開２００８−２７９２２７号公報
【特許文献３】特開２００６−１６７２１９号公報
【特許文献４】特開２０１１−６２３９９号公報
【特許文献５】特開２００９−１０８４４２号公報
【特許文献６】特表２００５−５２８６５７号公報
【特許文献７】実用新案登録第３１１８２３４号公報
【特許文献８】実用新案登録第３１０５７６７号公報
【発明の概要】
【発明が解決しようとする課題】
【０００４】
ジュエリーは、男性から女性への特別な贈り物として人気があり、多くの場合は、購入したときのジュエリーケースに入れた状態でプレゼントされる。しかし、上述した従来のジュエリーケースは、高級感はあるものの、どのジュエリーケースも「ビロードを貼った箱」としてのデザインが共通し、プレゼントする相手が受けるインパクトが極めて弱かった。特に、「ビロードを貼った箱」のデザインは、あまりにも長い年月にわたって現在まで使い続けられており、プレゼントされる相手は、ジュエリーケースを見ただけで、その中身がジュエリーであると分かってしまい、意外性に欠けるという問題があった。
【０００５】
そこで、本出願人は、過去に出願された斬新なジュエリーケースを発見すべく、平成２５年８月９日に、特許庁電子図書館（ＩＰＤＬ）の「特許分類検索」を用いて、国際特許分類（最新版）のＡ４５Ｃ１１／１６（宝石箱）に属する特許及び実用新案の公開公報の全３３７件を事前調査した。その結果、ジュエリーを照明するためのＬＥＤをケース内に備えたもの（特許文献１〜３）、ケース内の台座に生花を配置したもの（特許文献４）、ジュエリーの台座をハンカチで形成したもの（特許文献５）、ケース内のジュエリーをレンズで拡大視するもの（特許文献６）、ケースが小冊子になっているもの（特許文献７）、及びイメージソングなどを録音したＣＤなどのデータ記録媒体をケース内に収納するもの（特許文献８）などがあった。しかし、本発明のように、蓋体やケース本体をキャンドルとしたジュエリーケースは全く存在しなかった。
【０００６】
本発明は、上記問題点に鑑みてなされたものであり、ジュエリーの包装容器として今までに使われたことのない素材及び形態を用い、ジュエリーをプレゼントする際に、相手を驚かせ、感動を与える斬新な演出を楽しむことができるジュエリーケースの提供を目的とする。
【課題を解決するための手段】
【０００７】
（１）上記目的を達成するために、本発明のジュエリーケースは、貴金属や宝石類を加工したジュエリーを収納するケースであって、前記ジュエリーが載置されるケース本体と、前記ケース本体の上に載置され、前記ジュエリーに覆い被さる蓋体と、を備え、前記蓋体が、灯火可能な芯を備えたキャンドルからなる構成としてある。
【０００８】
上記構成からなる本発明のジュエリーケースによれば、蓋体がキャンドルとなっているので、一見してもジュエリーケースと認識することができず、キャンドルに火を灯せば、ロマンチックな雰囲気を演出するとともに、相手に気付かれることなく、プレゼントをテーブル等に配置することができる。その後、最適なタイミングを見計らって蓋体であるキャンドルを取り外せば、ケース本体の上に載置されたジュエリーが出現する。これにより、プレゼントする相手を予想外の出来事で驚かせ、感動を与えることが可能となる。
【０００９】
また、蓋体の素材を蝋としたことにより、デザインの自由度が大幅に拡大し、シンプルなデザインのものから複雑なデザインのものまで、金型を使って容易かつ安価に大量生産することが可能となる。
【００１０】
（２）好ましくは、上記（１）のジュエリーケースにおいて、前記ケース本体が、蝋以外の素材からなる構成にするとよい。
【００１１】
本発明者が鋭意検討した結果、蓋体とケース本体との両方をキャンドルにすることも可能であるが、キャンドルどうしが溶けて付着してしまう場合がある。そこで、ケース本体を蝋以外の素材、例えば、合成樹脂、金属、木、ガラス、耐熱紙などで形成することにより、蓋体とケース本体との付着を防止することができる。このような構成とした場合は、常に、最適なタイミングでスムーズに、蓋体であるキャンドルを取り外すことが可能となる。
【００１２】
（３）好ましくは、上記（１）又は（２）のジュエリーケースにおいて、前記ケース本体に、前記ジュエリーを載置するための突出した台座を設けるとともに、前記蓋体に、前記台座を収容する空洞を形成した構成にするとよい。
【００１３】
上記構成によれば、蓋体の空洞内に、ケース本体から突出する台座が入り、蓋体のずれや脱落を軽減することができる。また、ケース本体の台座にジュエリーが載置されるので、蓋体であるキャンドルを外したときに、ジュエリーを定位置にディスプレイすることができ、プレゼントする際に、ジュエリーをより見栄え良くすることが可能である。
【００１４】
（４）好ましくは、上記（３）のジュエリーケースにおいて、前記台座と前記空洞との断面形状を、互いに対応する円形以外の同形状とした構成にするとよい。
【００１５】
上記構成によれば、台座と空洞との断面形状を、互いに対応する円形以外の同形状としたことにより、蓋体とケース本体との相対的な回動を制限することができ、蓋体の取り付け状態をより安定させることができる。
【発明の効果】
【００１６】
本発明のジュエリーケースによれば、ジュエリーの包装容器として今までに使われたことのない素材及び形態を用い、ジュエリーをプレゼントする際に、相手を驚かせ、感動を与える斬新な演出を楽しむことができる。
【図面の簡単な説明】
【００１７】
【図１】同図（ａ）、（ｂ）は、本発明の第１実施形態に係る円柱形のジュエリーケースを示す斜視図である。
【図２】同図（ａ）、（ｂ）は、上記円柱形のジュエリーケースの内部構造を示す部分断面図である。
【図３】同図（ａ）〜（ｃ）は、上記円柱形のジュエリーケースを構成するケース本体の台座と、蓋体の空洞との断面形状を、互いに対応する円形以外の同形状とした場合の具体例を示す説明図である。
【図４】同図（ａ）、（ｂ）は、本発明の第２実施形態に係るハート形のジュエリーケースを示す斜視図である。
【図５】同図（ａ）、（ｂ）は、本発明の第３実施形態に係る星形のジュエリーケースを示す斜視図である。
【図６】同図（ａ）、（ｂ）は、本発明の第４実施形態に係るツリー形のジュエリーケースを示す斜視図である。
【図７】本発明の実施例に係るジュエリーケースを示すものであり、同図（ａ）は蓋体を取り付けた状態の写真、同図（ｂ）は蓋体を取り外した状態の写真である。
【発明を実施するための形態】
【００１８】
＜第１実施形態＞
まず、本発明の第１実施形態に係るジュエリーケースについて、図１〜３を参照しつつ説明する。
【００１９】
図１（ａ）、（ｂ）において、本実施形態のジュエリーケース１は、リング、ネックレス、ピアス、イアリング、ブローチ、ブレスレット等の図示しないジュエリーを収納するためのものであり、主として、ジュエリーが載置されるケース本体１０と、このケース本体１０の上に載置され、ジュエリーに覆い被さる蓋体２０とで構成されている。
【００２０】
図１（ｂ）に示すように、ケース本体１０は、略正方形状の基台１１の中心に、円柱状の台座１２を突設した構成となっている。台座１２の円柱状の壁部の内側には、スリットを備えたクッション１２ａが嵌め込んであり、クッション１２ａのスリットにジュエリーを差し込むことで、ジュエリーを台座１２に保持することができる。
【００２１】
このようなケース本体１０の素材は、特に限定されるものではないが、例えば、合成樹脂、金属、木、ガラス、耐熱紙などの蝋以外の素材で形成することが好ましい。ケース本体１０を蝋以外の素材で形成することにより、次に述べる蓋体２０との付着を防止することができるからである。
【００２２】
一方、蓋体２０は、灯火可能な芯２１を備えたキャンドル（蝋燭）からなり、底面側の中央には、ケース本体１０の台座１２を収容するための空洞２０Ａが形成してある。灯火可能な芯２１は、円板状の座金２２の中央に加締め固定してある。
【００２３】
ここで、図２（ａ）に示すように、通常のキャンドルとは異なり、本実施形態のキャンドルからなる蓋体２１は、芯２１の長さを極めて短くしてあり、灯火によって蓋体２１の下側の蝋が溶けないようになっている。このような構成にしたのは、溶けた蝋が、台座１２に保持したジュエリーに付着するのを防止するためである。本実施形態では、芯２１を固定する座金２２の埋設位置を、空洞２０Ａから約１５ｍｍ上方とし、芯２１が最後まで燃えた場合でも、空洞２０Ａの天井が溶けないように工夫してある。
【００２４】
さらに、本実施形態の変更例を図２（ｂ）に示す。同図に示す座金２３は、空洞２０Ａを取り囲む逆カップ状（カップの断面は円形に限らない）となっており、芯２１が最後まで燃えた場合でも、空洞２０Ａ内に蝋が侵入しない構成となっている。このような構成を採用した場合は、芯２１をより長くすることができるとともに、溶けた蝋がジュエリーに付着することをより確実に防止することが可能となる。
【００２５】
また、上述した図１（ａ）、（ｂ）及び図２（ａ）、（ｂ）に示すジュエリーケース１は、台座１２と空洞２０Ａとの断面形状を、互いに対応する円形としたが、これに限定されるものではない。台座１２と空洞２０Ａとの断面形状を、互いに対応する円形以外の同形状としてもよい。例えば、図３（ａ）に示す楕円形、図３（ｂ）に示す多角形、図３（ｃ）に示す星形など、円形以外の同形状とした場合は、蓋体２０とケース本体１０との相対的な回動を制限することができ、蓋体２０の取り付け状態をより安定させることができる。
【００２６】
＜第２〜４実施形態＞
上述した第１実施形態では、蓋体２０のデザインを最もシンプルな円柱形としたが、蓋体２０の素材を蝋としたことにより、デザインの自由度が大幅に拡大し、シンプルなデザインのものから複雑なデザインのものまで、金型を使って容易かつ安価に大量生産することが可能となる。
【００２７】
例えば、蓋体２０は、図４（ａ）、（ｂ）に示すような断面ハート形、図５（ａ）、（ｂ）に示すような断面星形、又は図６（ａ）、（ｂ）に示すようなツリー形など、種々の任意のデザインに変更することができ、例えば、誕生日、結婚記念日、クリスマス、ハロウィーン、季節や場所など、ジュエリーをプレゼントするときの様々なシチュエーションに応じたデザインにすることが可能である。
【００２８】
＜作用効果＞
上述した第１〜第４実施形態に係るジュエリーケース１によれば、蓋体２０がキャンドルとなっているので、一見してもジュエリーケース１と認識することができず、キャンドルに火を灯せば、ロマンチックな雰囲気を演出するとともに、相手に気付かれることなく、プレゼントをテーブル等に配置することができる。その後、最適なタイミングを見計らって蓋体２０であるキャンドルを取り外せば、ケース本体１０の台座１２に保持されたジュエリーが出現する。これにより、プレゼントする相手を予想外の出来事で驚かせ、感動を与えることが可能となる。
【００２９】
蓋体２０の素材を蝋としたことにより、デザインの自由度が大幅に拡大し、シンプルなデザインのものから複雑なデザインのものまで、金型を使って容易かつ安価に大量生産することが可能となる。
【００３０】
ケース本体１０を蝋以外の素材、例えば、合成樹脂、金属、木、ガラス、耐熱紙などで形成することにより、蓋体２０とケース本体１０との付着を防止することができる。これにより、常に、最適なタイミングでスムーズに、蓋体２０であるキャンドルを取り外すことが可能となる。
【００３１】
蓋体２０の空洞内に、ケース本体１０から突出する台座１２が入り、蓋体２０のずれや脱落を軽減することができる。また、ケース本体１０の台座１２にジュエリーが載置されるので、蓋体２０であるキャンドルを外したときに、ジュエリーを定位置にディスプレイすることができ、プレゼントする際に、ジュエリーをより見栄え良くすることが可能である。
【００３２】
第２〜第４実施形態に係るジュエリーケース１のように、台座１２と空洞２０Ａとの断面形状を、互いに対応する円形以外の同形状とした場合は、蓋体２０とケース本体１０との相対的な回動を制限することができ、蓋体２０の取り付け状態をより安定させることができる。
【００３３】
＜その他の変更＞
本発明のジュエリーケースは、上述した第１〜第４実施形態の構成に限定されるものではなく、種々の変更が可能である。例えば、ケース本体１０の構成は、図面に示す平らな基台１１と、突出する台座１２との組み合わせに限定されるものではなく、例えば、基台１１の代わりに、上部が開口した箱状のケース本体を用いてもよい。また、リング、ネックレス、ピアス、イアリング、ブローチ、ブレスレット等のジュエリーの形態に応じて、台座１２の構成を変更することが可能である。さらに、蓋体２０の芯２１を固定する座金２２を省略して、芯２１のみを蓋体２０に埋設する構成としてもよい。
【実施例】
【００３４】
本発明のジュエリーケースの実施例を、図７（ａ）、（ｂ）の写真に示す。これら図面において、上述した第１〜第４実施形態と同様の箇所には、同一の符号が付してある。
【００３５】
本実施例に係るジュエリーケース１は、断面ハート形のキャンドルからなる蓋２０を備え、ハート形の蓋２０の表面は、多数のバラの花のレリーフ模様によって埋め尽くされている。一方、ケース本体１０は、木製の基台１１と台座１２とからなっている。基台１１の外形は、蓋２０と相似形のハート形となっている。また、基台１１の中央に突設した台座１２は、クッションを有さず、リングを保持するための溝が形成してある。なお、図７（ａ）、（ｂ）の写真には表れていないが、蓋２０の素材となる蝋はピンク色、ケース本体１０は、藍色に着色してある。
【符号の説明】
【００３６】
１  ジュエリーケース
１０  ケース本体
１１  基台
１２  台座
１２ａ  クッション
２０  蓋体（キャンドル）
２０Ａ  空洞
２１  芯
２２、２３  座金
【図１】
2015036093.tif 000003
【図２】
2015036093.tif 000004
【図３】
2015036093.tif 000005
【図４】
2015036093.tif 000006
【図５】
2015036093.tif 000007
【図６】
2015036093.tif 000008
【図７】
2015036093.tif 000009